(57)【特許請求の範囲】
【請求項１】
複数の基板が挿入されるサブラックと、
前記基板に取付けられ、前記基板が前記サブラックに挿入された際に当該サブラック開口側に位置する正面部および、前記基板面に沿った両側面部を有する導電性のパネルと、
前記パネルの側面部に取付けられ、対向する他のパネルまたはサブラックとの間で電気的接触を取る第１ガスケットと、
前記パネルの第１ガスケット取付け位置より正面部側に形成され、前記第１ガスケット側に張り出された第１ガスケット保護部とを備え、
前記第１ガスケット保護部は、前記パネルから切り起こされることによって、少なくとも２箇所形成され、前記第１ガスケット保護部を切り起こす際に形成される切り起こし穴を通風口として使用し、かつ、前記切り起こし穴は、パネル正面から見えないように形成されることを特徴とする電磁シールド構造。
【請求項２】
前記サブラックの内側面に取付けられ、対向するパネルとの間で電気的接触を行う第２ガスケットと、
前記サブラックの第２ガスケット取付け位置より開口側に形成され、前記第２ガスケット側に張り出された第２ガスケット保護部とをさらに備える
ことを特徴とする請求項１記載の電磁シールド構造。
【請求項３】
前記第２ガスケット保護部は、前記サブラックから切り起こされることによって、少なくとも２箇所形成される
ことを特徴とする請求項２記載の電磁シールド構造。
【請求項４】
前記パネルの第１ガスケット取付け面とは反対側面部の端部には、パネル内側に傾斜する傾斜部が形成される
ことを特徴とする請求項１記載の電磁シールド構造。
【発明の詳細な説明】
【技術分野】
【０００１】
この発明は、通信機器のサブラックにおける、基板のパネルとガスケットによる電磁シールド構造に関するものであり、基板挿入を行う際のガスケット剥がれや破損の防止に関するものである。
【背景技術】
【０００２】
一般に通信機器では、電子部品および回路が実装された基板を高密度に収納するため、複数の基板を平行に並べて、長方形間口に設けたスロットに挿入するサブラックを用いている。このサブラック間口で電磁シールドを行うため、基板の正面には導電性を有する略コの字断面のパネルが取付けられている。
このパネルの一方の側面部には、導電性と弾性を有するガスケットが取付けられている。また、サブラックの一方の内側面にもガスケットが取付けられている。
【０００３】
上記のようなパネルが取付けられた基板（挿入基板）をサブラックに挿入すると、挿入基板のガスケット取付面とは反対側面部（ガスケット押付面）に、隣接スロットに既に挿入されている基板（隣接基板）のガスケットまたはサブラックのガスケットが圧縮され押し付けられる。また、挿入基板のガスケットは、隣接基板のガスケット押付面またはサブラックの内側面に圧縮され押し付けされる。これにより、各パネルとサブラックの間の電気的接触を取り、電磁シールドを構成している。
【０００４】
しかしながら、上記構造では、ガスケットの取付け方向と基板挿入方向が直交している。また、パネルの幅寸法（ガスケット押付面からガスケット先端までの幅寸法）が、サブラック内で１枚の基板に割当てられた幅寸法より大きい。そのため、基板挿入を行う際に、挿入基板のガスケット押付面が隣接基板のガスケットの根元部に当たり、基板挿入力の一部がガスケットを剥がそうとする力に変換されてしまい、ガスケットがパネルから剥がれたり、破損する恐れがあるという課題があった。
【０００５】
これに対して、つまみネジにより、ガスケット取付面を基板挿入方向に垂直な方向にスライド可能としたものが存在する（例えば特許文献１参照）。この特許文献１に開示される方法では、まず、基板挿入前に、つまみネジを緩めてガスケット取付面をパネル内側に移動させる。これにより、挿入基板のガスケット押付面が、隣接基板のガスケットまたはサブラックのガスケットと接触することを防いでいる。そして、基板挿入後に、ガスケット取付面をパネル外側に移動させて、つまみネジを締付けて固定することで、電気的接触を取る。これにより、ガスケット剥がれ・破損を防止することができる。
【先行技術文献】
【特許文献】
【０００６】
【特許文献１】特開２００１−１６８５７２号公報
【発明の概要】
【発明が解決しようとする課題】
【０００７】
しかしながら、特許文献１に開示される方法では、ガスケット取付面をスライド可能にするためにパネルから分割しているため、部品点数が増加し、また、部品製造コストおよび基板組立コストが増加するという課題がある。また、基板挿入以外に別途ガスケット接触のためのスライド作業が必要なため、サブラックへの基板挿入作業コストが増加するという課題がある。さらに、サブラックのガスケットに対しては剥がれ・破損を防げないという課題もある。
【０００８】
この発明は、上記のような課題を解決するためになされたもので、部品点数削減、コスト低減を行いつつ、基板挿入を行う際にパネルおよびサブラックのガスケット剥がれ・破損を防止することができる電磁シールド構造を提供することを目的としている。
【課題を解決するための手段】
【０００９】
この発明に係る電磁シールド構造は、複数の基板が挿入されるサブラックと、基板に取付けられ、基板がサブラックに挿入された際に当該サブラック開口側に位置する正面部および、基板面に沿った両側面部を有する導電性のパネルと、パネルの側面部に取付けられ、対向する他のパネルまたはサブラックとの間で電気的接触を取る第１ガスケットと、パネルの第１ガスケット取付け位置より正面部側に形成され、第１ガスケット側に張り出された第１ガスケット保護部とを備え、第１ガスケット保護部は、パネルから切り起こされることによって、少なくとも２箇所形成され、第１ガスケット保護部を切り起こす際に形成される切り起こし穴を通風口として使用し、かつ、切り起こし穴は、パネル正面から見えないように形成されるものである。
【発明の効果】
【００１０】
この発明によれば、上記のように構成したので、部品点数削減、コスト低減を行いつつ、基板挿入を行う際にパネルおよびサブラックのガスケット剥がれ・破損を防止することができる。
【図面の簡単な説明】
【００１１】
【図１】この発明の実施の形態１に係る通信装置のサブラックの構成を示す斜視図である。
【図２】この発明の実施の形態１におけるパネルの構成を示す斜視図である。
【図３】この発明の実施の形態１における基板挿入前のガスケットの状態を示す平面図である。
【図４】この発明の実施の形態１におけるパネルの各部の寸法関係を示す平面図である。
【図５】この発明の実施の形態１における基板挿入中のパネルの状態を示す平面図である。
【図６】この発明の実施の形態１における基板挿入後のパネルの状態を示す平面図である。
【図７】この発明の実施の形態２に係る通信装置のサブラックの構成を示す斜視図である。
【図８】この発明の実施の形態２におけるパネルの構成を示す斜視図である。
【図９】この発明の実施の形態３におけるパネルの構成を示す平面図である。
【図１０】この発明の実施の形態３における基板挿入中のパネルの状態を示す平面図である。
【発明を実施するための形態】
【００１２】
以下、この発明の実施の形態について図面を参照しながら詳細に説明する。
実施の形態１．
図１はこの発明の実施の形態１に係る通信装置のサブラック１の構成を示す斜視図であり、図２はパネル３の構成を示す斜視図である。
一般に通信機器では、図１に示すように、電子部品および回路を実装した基板２を高密度に収納するため、複数の基板２を平行に並べて、長方形間口１１に設けたスロットに挿入するサブラック１を用いている。サブラック１に挿入される基板２には、正面（基板２がサブラック１に挿入された際のサブラック開口側）に導電性を有するパネル３が取付けられている。
【００１３】
このパネル３は、図２に示すように、基板２の面に垂直な正面部３１と、基板２の面に沿った一方の側面部であるガスケット取付部３２と、他方の側面部であるガスケット押付部３３とからなる略コの字型断面に構成されている。なお、ガスケット取付部３２は、正面部３１の左右どちら側に配置されてもよいが、以下では正面部３１の左側に配置された場合について説明する。
【００１４】
また、ガスケット取付部３２には、略半円形断面であり、導電性と弾性を有するガスケット（第１ガスケット）４が取付けられている。このガスケット４は、基板２がサブラック１に挿入された際に、隣接基板のパネル３（ガスケット押付部３３）またはサブラック１との間で電気的接触を取り、電磁シールドを構成するものである。
このガスケット４には取付け構造上、図３に示すように、ガスケット表面４１とガスケット取付部３２のなす角度θが、９０度以下となるガスケット根元部４２と、９０度を超えるガスケット先端部４３とが存在している。
【００１５】
また、図２に示すように、パネル３には、ガスケット４の取付け位置より正面部３１側に、ガスケット４側に張り出されたガスケット保護部（第２ガスケット保護部）５が、パネル３と一体に形成されている。このガスケット保護部５は、基板２がサブラック１に挿入されている状態において、ガスケット４側の隣接スロットに他の基板２が挿入された場合に、他の基板２のガスケット押付部３３を自基板２のガスケット根元部４２に接触させないように、ガスケット先端部４３側に案内するものである。
【００１６】
一方、図１に示すように、サブラック間口１１の右内側面１２にも、基板２と同様のガスケット（第２ガスケット）６が取付けられている。また、サブラック１のガスケット６の取付け位置より開口側に、ガスケット６側に張り出されたガスケット保護部（第２ガスケット保護部）７が、サブラック１と一体に形成されている。
【００１７】
次に、上記のように構成されたパネル３の各部の寸法関係について説明する。
図４に示すように、パネル３の幅寸法（ガスケット押付部３３からガスケット４先端までの幅寸法）Ｔ２は、サブラック１内で１枚の基板２に割当てられた幅寸法Ｔ１（図６参照）より大きく構成されている。また、ガスケット押付部３３からガスケット保護部５先端までの幅寸法Ｔ３は、サブラック１内で１枚の基板２に割当てられた幅寸法Ｔ１より小さく、ガスケット押付部３３からガスケット根元部４２までの幅寸法Ｔ４よりも大きく構成されている。
なお、サブラック１に取付けられたガスケット６とガスケット保護部７の寸法関係についても同様であり、その説明を省略する。
【００１８】
次に、上記のように構成されたパネル３が取付けられた基板２を、サブラック１に挿入する際の動作について説明する。
図５はこの発明の実施の形態１における基板挿入中のパネル３の状態を示す平面図であり、図６は基板挿入後のパネル３の状態を示す平面図である。なお以下では、サブラック１に挿入済みの基板（隣接基板２ａ，２ｂ）の間に基板（挿入基板２ｃ）を挿入する場合について説明するが、サブラック間口１１の内側面の隣に挿入基板２ｃを挿入する場合についても同様である。
【００１９】
基板挿入動作では、図５に示すように、挿入基板２ｃをサブラック１のスロットに挿入し始めると、挿入基板２ｃのガスケット４は隣接基板２ａのガスケット押付部３３に接触し、挿入基板２ｃのガスケット押付部３３は隣接基板２ｂのガスケット４に接触する。この際、挿入基板２ｃのガスケット押付部３３は、隣接基板２ｂのガスケット保護部５により、隣接基板２ｂのガスケット先端部４３のみに接触するように案内される。すなわち、挿入基板２ｃのガスケット押付部３３が、隣接基板２ｂのガスケット根元部４２と接触することはない。
【００２０】
そのため、基板挿入力Ｆ１は、隣接基板２ｂのガスケット４に作用するものの、隣接基板２ｂのガスケット４をパネル３から剥がそうとする力Ｆ２に変換されることはない。また、基板挿入力Ｆ１の一部は、ガスケット４を基板挿入方向と垂直な方向に圧縮する力Ｆ３へと変換される。そのため、ガスケット４の剥がれや破損が生じることなく、基板挿入を行うことができる。
【００２１】
その後、さらに挿入基板２ｃの挿入を進めてサブラック１への収納が完了すると、図６に示すように、挿入基板２ｃのパネル３は、両側面部３２，３３において基板挿入方向に垂直な方向に圧縮されたガスケット４により隣接基板２ａ，２ｂのパネル３と電気的接触を取る。これにより、電磁シールドが構成される。
【００２２】
以上のように、この実施の形態１によれば、パネル３のガスケット４の取付け位置より正面部３１側に、ガスケット４側に張り出されたガスケット保護部５を設けるように構成したので、基板挿入を行う際にガスケット押付部３３が隣接基板２ａのガスケット先端部４３のみと接触するため、ガスケット４がスムーズに圧縮され、ガスケット剥がれ・破損を起こさずに基板挿入を行うことができる。また、サブラック１にも、パネル３と同様のガスケット保護部７を設けるように構成したので、サブラック１のガスケット６に対しても、剥がれ・破損を防止することができる。
さらに、ガスケット保護部５，７はパネル３およびサブラック１と一体に形成されているため、特許文献１に開示されるような従来の方法に対して部品点数を低減させることができ、基板・サブラック組立コストを低減させることができる。また、基板挿入作業とは別個のガスケット接触作業も不要なため、基板挿入作業コストを低減させることができる。
【００２３】
実施の形態２．
実施の形態１では、ガスケット保護部５，７をパネル３およびサブラック１と一体に形成した場合について示したが、実施の形態２では、パネル３およびサブラック１を板金で製作し、ガスケット保護部５，７を板金加工により切り起こして形成する場合について示す。
図７はこの発明の実施の形態２に係る通信装置のサブラック１の構成を示す斜視図であり、図８はパネル３の構成を示す斜視図である。
【００２４】
図７，８に示すように、ガスケット保護部５は、板金加工によりパネル３から切り起こされることによって形成されている。このガスケット保護部５は、部分的に少なくとも上下２箇所設けられている。
また、ガスケット保護部７についても同様に、板金加工によりサブラック１から切り起こされることによって形成されている。このガスケット保護部７も、部分的に少なくとも上下２箇所設けられている。
【００２５】
また、パネル３には、正面部３１に基板２の冷却などの目的で通風口を設ける場合があるが、ガスケット保護部５を切り起こす際に形成された切り起こし穴８を通風口として使用することができる。これにより、通風口を単独で設ける場合よりも基板製作コストを削減させることができる。また、切り起こし穴８をパネル正面から見えないように板金加工することで、正面部３１の意匠を損なわないようにすることができる。
【００２６】
なお、上記のように構成されたパネル３およびサブラック１の各部の寸法関係は、図４に示す寸法関係と同様である。また、基板挿入動作についても、図５，６に示す基板挿入動作と同様であり、その説明を省略する。
【００２７】
以上のように、この実施の形態２によれば、ガスケット保護部５，７を板金加工によりパネル３およびサブラック１から切り起こして形成するように構成したので、実施の形態１における効果に加えて、基板・サブラック部品製作コストを低減させることができる。また、ガスケット保護部５を切り起こす際に形成された切り起こし穴８を通風口として使用することで、通風口を設ける際の基板製作コストを削減させることができる。また、切り起こし穴８をパネル正面から見えないように板金加工することで、正面部３１の意匠を損なわないようにすることができる。
【００２８】
実施の形態３．
図９はこの発明の実施の形態３におけるパネル３の構成を示す平面図である。
この図９に示す実施の形態３におけるパネル３は、図１に示す実施の形態１におけるガスケット押付部３３の端部に、パネル３の内側に傾斜する傾斜部９を追加したものである。その他の構成は同様であり、同一の符号を付してその説明を省略する。
【００２９】
次に、上記のように構成されたパネル３が取付けられた基板２を、サブラック１に挿入する際の動作について説明する。
図１０はこの発明の実施の形態３における基板挿入中のパネル３の状態を示す平面図である。なお以下では、サブラック１に挿入済みの基板（隣接基板２ａ，２ｂ）の間に基板（挿入基板２ｃ）を挿入する場合について説明するが、サブラック間口１１の内側面の隣に挿入基板２ｃを挿入する場合についても同様である。
【００３０】
基板挿入動作では、図１０に示すように、挿入基板２ｃをサブラック１のスロットに挿入し始めると、挿入基板２ｃのガスケット４は隣接基板２ａのガスケット押付部３３に接触し、挿入基板２ｃのガスケット押付部３３は隣接基板２ｂのガスケット保護部５に接触する。この際、挿入基板２ｃのガスケット押付部３３は、傾斜部９により、隣接基板２ｂのガスケット保護部５にスムーズに案内される。
さらに挿入基板２ｃを挿入すると、傾斜部９は隣接基板２ｂのガスケット先端部４３と接触し始めるが、接触面が傾斜しているため、基板挿入力Ｆ１は隣接基板２ｂのガスケット４をパネル３から剥がそうとする力に変換されることなく、実施の形態１よりもスムーズにガスケット４を基板挿入方向に垂直な方向に圧縮する力Ｆ３へと変換される。
【００３１】
その後、さらに挿入基板２ｃの挿入を進めてサブラック１への収納が完了すると、挿入基板２ｃのパネル３は、両側面部３２，３３において基板挿入方向に垂直な方向に圧縮されたガスケット４により隣接基板２ａ，２ｂのパネル３と電気的接触を取る。これにより、電磁シールドが構成される。
【００３２】
以上のように、この実施の形態３によれば、ガスケット押付部３３の端部に、ガスケット保護部５の機能を補助する傾斜部９を設けるように構成したので、実施の形態１における効果に加えて、より確実にガスケット剥がれ・破損を起こさずに基板挿入を行うことができる。また傾斜部９は、板金加工によってパネル３と単一部品で実現可能であり、特許文献１に開示されるような従来の方法に対して部品点数を低減させることができ、部品製造コスト・基板組立コストを低減させることができる。また、基板挿入作業がスムーズとなり、基板挿入作業コストを低減させることができる。
【００３３】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００３４】
１  サブラック、２  基板、２ａ，２ｂ  隣接基板、２ｃ  挿入基板、３  パネル、４  ガスケット（第１ガスケット）、５  ガスケット保護部（第１ガスケット保護部）、６  ガスケット（第２ガスケット）、７  ガスケット保護部（第２ガスケット保護部）、８  切り起こし穴、９  傾斜部、１１  長方形間口、１２  右内側面、３１  正面部、３２  ガスケット取付部、３３  ガスケット押付部、４１  ガスケット表面、４２  ガスケット根元部、４３  ガスケット先端部。
【図１】
0005557764.tif 000002
【図２】
0005557764.tif 000003
【図３】
0005557764.tif 000004
【図４】
0005557764.tif 000005
【図５】
0005557764.tif 000006
【図６】
0005557764.tif 000007
【図７】
0005557764.tif 000008
【図８】
0005557764.tif 000009
【図９】
0005557764.tif 000010
【図１０】
0005557764.tif 000011